(57)【特許請求の範囲】
【請求項１】
扉枠に取付けられるストライク板と平行な矩形の板の一の隅部を円弧状に成形すると共に、この隅部の表面に工具との係合部を形成し、一方、この一の隅部と対向する他の隅部を斜めに削いで矩形の短辺及び長辺と夫々１３５度の角度間隔で斜交する傾斜辺を形成して、上記一の隅部の円弧の中心から矩形の短辺、傾斜辺及び長辺に下ろした垂線の長さの差を調整量とした調整カムを構成し、他方、ストライク板に一端を揺動可能に支承され、他端にガードアーム係合杆と係合する係合孔を開口させたガードアームの一方の側端縁に近接して、上記調整カムをその円弧の中心の回りを回動可能に支承し、以て、調整カムの長辺、傾斜辺、及び短辺の何れか一つをガードアームの側端縁に直接かつ選択的に当接可能にすると共に、調整カムの短辺、傾斜辺及び長辺をガードアームの側端縁に向けた角度位置を保つため、上記調整カムの係合部とは反対側の面に係合部と同軸に連設した八角断面部を２枚の板ばねで挟むクリック装置を設けてなる用心錠におけるガードアームの基準位置調整装置。
【発明の詳細な説明】
【０００１】
【発明の属する技術分野】
この発明は、来訪者の確認や郵便物の受け渡し等のため扉の開放角度を小さく制限する用心錠におけるガードアームの基準位置調整装置（以下単に調整装置という）に関する。
【０００２】
上記基準位置とは、ガードアームの不使用時扉枠に取り付けられた基板（ストライク板）上におけるガードアームの待機位置又は収納位置を示し、この発明はその位置がデッドボルトやガードアーム係合部材（以下ガードアーム係合杆という）に対し適正となるように調整する新規な装置を提供する。
【０００３】
【従来の技術】
従来のこの種の技術としては、例えば実公平５−３２６０２号公報に記載されているものを挙げることができる。
【０００４】
同装置はデッドボルトが出入りする側と対応するドア枠の見込み面に固定される取り付けベースに、一端側にデッドボルトの係合穴を設けたアームをその他端側に軸着して見込み方向へ回動可能に取り付け、前記ベースはアームに対してドア枠の内周面に突出したドア当接用突壁側に位置する立ち上がり壁を有し、立ち上がり壁とアームの間にアームの軸着部分を通る垂線に対するアームの角度を変えるアーム当接部を備えた調整体を設けたものであって、長期の使用において、基準位置におけるガードアームの係合穴とデッドボルトとの間にずれが生じて、ガードアーム作動時又は施錠時に、デッドボルトが係合又は貫通不能となったり、引掛かってスムーズな操作に支障を来したりした場合に、ガードアームの基準位置における角度位置を微調整できるようにしたものである。
【０００５】
また、本出願人は、先に、特願平７−３０２１１４号及び特願平８−６１８２４号を以て、上記とは異なる型式の調整装置を提案した。
【０００６】
これら本出願人の先の提案に係る調整装置は、何れも、可動のガードアーム側に調整機構を設けたものである。
【０００７】
【発明が解決しようとする課題】
上記した従来の調整装置は、基準位置を無段階或いは多段階に調整できるものであるが、その調整は調整原理を理解して始めて可能になるものであって、実際の建築現場においては作業者はその原理を理解しないので、調整範囲の両端しか使用しない、という不都合がある。
【０００８】
また、ねじを弛めたり締めたり、或いは調整体を動かして最適調整位置を探る、等調整作業がかなり面倒で実際的ではない。
【０００９】
そこで、この発明は、調整原理の理解及び調整作業が極めて容易であり、しかも実用上充分な調整範囲を有する調整装置を提供し、以て上記した不都合を解消することを目的としている。
【００１０】
【課題を解決するための手段】
上記の目的を達成するため、この発明は、扉枠に取付けられるストライク板と平行な矩形の板の一の隅部を円弧状に成形すると共に、この隅部の表面に工具との係合部を形成し、一方、この一の隅部と対向する他の隅部を斜めに削いで矩形の短辺及び長辺と夫々１３５度の角度間隔で斜交する傾斜辺を形成して、上記一の隅部の円弧の中心から矩形の短辺、傾斜辺及び長辺に下ろした垂線の長さの差を調整量とした調整カムを構成し、他方、ストライク板に一端を揺動可能に支承され、他端にガードアーム係合杆と係合する係合孔を開口させたガードアームの一方の側端縁に近接して、上記調整カムをその円弧の中心の回りを回動可能に支承し、以て、調整カムの長辺、傾斜辺、及び短辺の何れか一つをガードアームの側端縁に直接かつ選択的に当接可能にすると共に、調整カムの短辺、傾斜辺及び長辺をガードアームの側端縁に向けた角度位置を保つため、上記調整カムの係合部とは反対側の面に係合部と同軸に連設した八角断面部を２枚の板ばねで挟むクリック装置を設けたことを特徴とする。
【００１１】
【実施例】
以下、図面に示す実施例に基づいてこの発明について説明する。
図１において符号２は図示しない扉枠にねじ２、２で取り付けられるストライク板を示し、このストライク板１の一側方には、折曲げ加工により、横断面形状が下向きのひしゃく形（図２参照）の立ち上がり部３を有する。
【００１２】
図示例のストライク板１は、後記のガードアーム４を揺動により図１で矢印Ｐ方向に振り出すことができるように、１つの側板を除去して開放させた箱形に形成されている。符号はストライク板１の上下端部に設けたフランジ部である。
【００１３】
上記ストライク板１の上端部には、ガードアーム４の上端が揺動可能に支承されている。
【００１４】
図示の実施例におけるガードアーム４は、刀の刀身と鞘のように抜き挿し可能に嵌合した二つの部材よりなり、その下端部にはガードアーム係合杆６と係合する係合孔７が開口している。
【００１５】
ちなみに、通常の用心錠におけるガードアームには、２段階に突出可能に構成したデッドボルトの先端が係合するが、図示の実施例においては、ストライク板１の下端に開口したデッドボルト係合孔８には通常引戸の錠止に用いられる鈎形のカマが振り入れられて係合するように構成されているので、ガードアーム４と係合するガードアーム係合杆６はデッドボルトとは異なる部材が用いられている。
【００１６】
しかしながら、ガードアーム４と係合するガードアーム係合杆６がデッドボルトとは異なる部材であることはこの発明の要旨ではないので、更に詳細な説明は省略する。
【００１７】
図１に実線で示したガードアーム４の基準位置を調整する本発明による調整装置は、図１及び図２に示すようにストライク板１の立ち上がり部３に内蔵されており、図１ではその一部であるスリワリを形成した係合部９が立ち上がり部３の上面に開口した円形の開口から覗いている。
【００１８】
すなわち、図３及び図４に示すように、この発明による調整装置はストライク板１と平行な調整カム１１を備え、この調整カム１１は、矩形の板の一の隅部を円弧状に成形すると共に、この一の隅部と対向する他の隅部を斜めに削いで矩形の短辺１２及び長辺１３と夫々１３５度の角度間隔で斜交する傾斜辺１４を形成した小さな板材である。
【００１９】
上記一の隅部の表面（図３で上面）側には、その円弧と同径の小柱体で、中央部に段部を形成して上部を小径にすると共に、上面にスリワリを形成した係合部９が一体に結合されている。
【００２０】
また、上記一の隅部の下面側には、係合部９と同軸に、八角断面部１５と断面円形の支軸１６とが一体に連設されている。これらの諸部材は相互に一体に結合されてカムブロック１７を構成している。
【００２１】
一方、このカムブロック１７の図３における下方には、カムブロック１７を回転可能に指示すると共にクリック装置を兼ねたホルダー１８が設けられている。
【００２２】
このホルダー１８は、図３に示すように、例えば剛性樹脂で構成した一対の四角柱１９、１９の下端部を矩形のブリッジ板２１で一体に連結してなる。
【００２３】
ちなみに、重量を軽減し、また、材料を節約するため、上記四角柱１９は下端面側から肉を盗まれて空洞になっている。
【００２４】
なお、四角柱１９及びブリッジ板２１の幅は、前記ストライク板の立ち上がり部３の内側に形成された溝の内のり寸法と同程度に設定する（図４参照）。
【００２５】
上記ブリッジ板２１の中央には、上記カムブロックの支軸１６と回動可能に嵌合する支軸孔２２が開口している。
【００２６】
また、一対の四角柱１９、１９の相互に対向する面の下方には、これらを連結するように一対のばね板２３、２３が形成されている。
【００２７】
このばね板２３、２３は、ホルダー１８を射出成形するときに同時に成形するもので、その材質はホルダー１８と同じ合成樹脂である。
【００２８】
このばね板２３、２３の内のり間隔は、前記カムブロックの八角断面部１５の相互に対向する側面の間隔よりやや大きくなるように設定されている。
【００２９】
そして、このばね板２３、２３の組及びこれらの間に挿入されるカムブロックの八角断面部１５は、角度間隔４５度で間欠的に調整カム１１の角度位置を保持するクリック装置を構成する。
【００３０】
上記のように構成されたカムブロック１７及びホルダー１８は、前者の支軸１６を後者の支軸孔２２に差込み、一対のばね板２３、２３で前者の八角断面部１５を挟持するようにしてこれらを一体的に組み付ける。
【００３１】
一方、図１、図２及び図４に示すように、ストライク板１の立ち上がり部３の長さ方向における所定の位置に、立ち上がり部３の上面にはカムブロックの係合部９の先端と嵌合する開口（付番せず）を、ガードアーム４に対向する側の側面には操作窓２４（図４参照）を予め形成しておく。
【００３２】
そして、上記のように一体的に組付けられたカムブロック１７及びホルダー１８を、図２に示すように、扉枠に取付けられる前のストライク板１の裏面側から立ち上がり部３の空洞部に差込み、カムブロックの係合部９の先端を立ち上がり部３の上面の開口に嵌合させると共に、調整カム１１を操作窓２４に挿入する。
【００３３】
このとき先に調整カム１１を操作窓２４に挿入すると、組み付け体全体を円滑に立ち上がり部３内に装着することができる。
【００３４】
なお、組み付け体を立ち上がり部３内の溝に装着した状態において、ホルダー１８は立ち上がり部３の両側面に挟持された状態で摩擦により安定に保持されるが、予めホルダーの四角柱の側面に小さな突起（図示せず）を形成しておき、組み付け体を上記溝に挿入するときこの突起を潰すことにより、上記摩擦を更に大きくすることができる。
【００３５】
上記のように構成されたこの発明による調整装置において、調整カム１１を有するカムブロック１７は、両端を夫々立ち上がり部３の上面の開口及びホルダーの支軸孔２２に回動可能に嵌合しており、かつ、その係合部９が立ち上がり部３の上面に露呈している。
【００３６】
そこで、この係合部をドライバーなどの工具により左右何れかの方向に回動させると、カムブロック１７はクリック感を伴って４５度ずつ間欠的に回動する。
【００３７】
そこで、図４（Ｂ）に示す調整カム１１の角度位置を基準にすると、図４（Ｃ）及び（Ａ）に示すようにプラスマイナス１段階ずつガードアーム４の基準角度位置を変化させることができる。
【００３８】
このとき、ガードアーム４の側端縁を押動する調整カム１１の出入りは肉眼で目視できるから、作業者はその調整原理を直ちに理解でき、安心して、かつ容易にガードアームの基準位置の調整作業を行うことができる。
【００３９】
図示の実施例では、ガードアーム４の先端の動きに換算してプラスマイナス１．５ｍｍの調整が行えるように諸部材の寸法が設定されており、実際上この調整範囲で充分なガードアームの基準位置の調整を行うことができる。
【００４０】
なお、この発明を実施するにあたっては、図示の実施例に限定されることなく種々に変形して実施することができる。
【００４１】
例えば、２枚のばね板及び八角柱の組によるクリック装置の他に、通常のクリックボール及びばねよりなるクリック装置を採用できることは勿論である。
【００４２】
【発明の効果】
以上の説明から明らかなように、この発明は、ストライク板に平行な矩形の板の隅部を斜めに削いで傾斜辺を形成し、この傾斜辺、矩形の短辺、及び長辺を夫々ガードアームの側端縁に接合させることによりガードアームの基準位置を設定する調整カムを構成し、これらの調整角度位置をクリック装置で規定するようにしたから、必要にして充分な調整代を有し、構造及び調整操作が簡単な調整装置を得ることができる。
【００４３】
また、調整カムの傾斜辺に対向する隅部を円弧状に成形したから、調整カムを回動させてもこの隅部が他の部材と干渉することがなく、したがって調整カムを狭いスペース内に組込むことができる、等種々の効果を奏する。
【図面の簡単な説明】
【図１】この発明の一実施例による調整装置を組込んだガードアーム装置の正面図。
【図２】図１のＩＩ−ＩＩ線による拡大横断面図。
【図３】この発明の一実施例による調整装置の構成を部品を展開して示す斜視図。
【図４】この発明による調整装置の作動を説明するための一部断面拡大正面図。
【符号の説明】
１  ストライク板
３  立ち上がり部
４  ガードアーム
６  ガードアーム係合杆
７  係合孔
９  係合部
１１  調整カム
１２  短辺
１３  長辺
１４  傾斜辺
１５  八角断面部
１６  支軸
１７  カムブロック
１８  ホルダー
１９  四角柱
２１  ブリッジ板
２２  支軸孔
２３  ばね板
２４  操作窓
【図１】
0004329955.tif 000002
【図２】
0004329955.tif 000003
【図３】
0004329955.tif 000004
【図４】
0004329955.tif 000005